(57)【要約】【課題】突入電流を低減できる上に、複数の電源回路の起動順序や起動タイミングの適切な制御を行うことができるようにした電子機器の電源装置の提供。【解決手段】この発明は、制御回路５に電力を供給する電源回路３１と、ＣＣＤセンサ１に電力を供給する電源回路３２と、表示部２に電力を供給する電源回路３３と、画像メモリ３に電力を供給する電源回路３４と、インタフェース部４に電力を供給する電源回路３５を備え、ラッチ回路１２〜１５に格納される電源回路３２〜３５の起動順序や起動タイミングを制御するための各起動制御データに基づいて、電源回路３２〜３５が起動制御されるようになっている。【選択図】  図２
2004282930.tif 000002
【特許請求の範囲】
【請求項１】
複数の構成要素からなる電子機器に電力を供給する電源装置であって、
前記複数の構成要素に電力をそれぞれ供給する複数の電源回路と、
前記複数の電源回路を起動制御するための起動制御データを格納する記憶回路とを備え、
前記複数の電源回路は、起動の際に、前記記憶回路に格納される起動制御データに基づいて起動制御されるようになっていることを特徴とする電子機器の電源装置。
【請求項２】
前記記憶回路は、さらに前記複数の電源回路を停止制御するための停止制御データを格納するようにし、
前記複数の電源回路は、停止の際に、前記記憶回路に格納される停止制御データに基づいて停止制御されるようになっていることを特徴とする請求項１に記載の電子機器の電源装置。
【請求項３】
前記記憶回路は、さらに前記複数の電源回路の各出力電圧を制御するための出力電圧制御データを格納するようにし、
前記複数の電源回路は、前記記憶回路に格納される複数の出力電圧制御データに基づいて出力電圧が制御されるようになっていることを特徴とする請求項１または請求項２に記載の電子機器の電源装置。
【請求項４】
前記起動制御データは前記複数の電源回路の起動順序または起動タイミングを制御するためのデータからなり、
前記停止制御データは前記複数の電源回路の停止順序または停止タイミングを制御するためのデータからなることを特徴とする請求項１、請求項２、または請求項３に記載の電子機器の電源装置。
【請求項５】
複数の構成要素からなる電子機器に電力を供給する電源装置であって、
前記複数の構成要素に電力をそれぞれ供給する複数の電源回路と、
前記複数の電源回路を起動制御するための各数値データをそれぞれ格納する複数の第１ラッチ回路と、
所定のクロックを計数するカウンタと、
前記複数の第１ラッチ回路に格納される各数値データと前記カウンタの計数値とを比較し、その両者が一致するときに起動信号を出力する複数の一致回路とを備え、
前記複数の電源回路は、起動の際に、前記複数の一致回路からの対応する起動信号に基づいて起動制御されるようになっていることを特徴とする電子機器の電源装置。
【請求項６】
複数の構成要素からなる電子機器に電力を供給する電源装置であって、
前記複数の構成要素に電力をそれぞれ供給する複数の電源回路と、
前記複数の電源回路を起動制御および停止制御するための各数値データをそれぞれ格納する複数の第１ラッチ回路と、
所定のクロックのアップカウント動作またはダウンカウント動作を行うアップダウンカウンタと、
前記アップダウンカウンタをアップカウント動作させたときに、前記複数の第１ラッチ回路に格納される各数値データとそのときの計数値とを比較し、その両者が一致するときに起動信号を出力し、一方、前記アップダウンカウンタをダウンカウント動作させたときに、前記複数の第１ラッチ回路に格納される各数値データとそのときの計数値とを比較し、その両者が一致するときに停止信号を出力する複数のシーケンス信号発生回路とを備え、
前記複数の電源回路は、起動の際に、前記複数のシーケンス信号発生回路からの対応する起動信号に基づいて起動制御されるとともに、停止の際に、前記複数のシーケンス信号発生回路からの対応する停止信号に基づいて停止制御されるようになっていることを特徴とする電子機器の電源装置。
【請求項７】
前記複数の電源回路の各出力電圧を制御するための出力電圧制御データを格納する複数の第２ラッチ回路をさらに備え、
前記複数の電源回路は、前記複数の第２ラッチ回路に格納される各出力電圧制御データに基づいて出力電圧が制御されるようになっていることを特徴とする請求項５または請求項６に記載の電子機器の電源装置。
【発明の詳細な説明】
【０００１】
【発明の属する技術分野】
本発明は、例えばデジタルスチルカメラのような電子機器（電子システム）に電力を供給する、電子機器の電源装置に関するものである。
【０００２】
【従来の技術】
例えば、デジタルスチルカメラは、画像を撮影するＣＣＤセンサ、そのＣＣＤセンサで撮影した画像のデータを格納する画像メモリ、ＣＣＤセンサで撮影した画像を表示する表示部、外部との間でデータの授受を行うインタフェース部、各部を制御する制御部などから構成される。
【０００３】
このような構成からなるデジタルスチルカメラのような電子機器の電源装置としては、そのデジタルスチルカメラの各構成要素にそれぞれ電力を供給する複数の電源回路を備えたものが知られている。その複数の電源回路としては、スイッチングレギュレータ、ＤＣ−ＤＣコンバータ、シリーズレギュレータなどがある。
また、このような従来の電子機器の電源装置では、複数の電源回路を電源スイッチの投入時に同時に起動されるようになっていた。
【０００４】
【発明が解決しようとする課題】
このように複数の電源回路を同時に立ち上げると、その立ち上げ時に突入電流が多くなる。このため、その電源回路を電池で動作させる場合には、電源電圧が一時的に低下してその構成要素が誤動作などの不具合を発生するおそれがある。また、電力が供給されるデバイスの破壊を招くおそれがある。
【０００５】
その一方、各構成要素（各デバイス）はそれぞれ固有の特性を持っている。このため、複数の電源回路は、その起動時に、その各構成要素の特性などに応じて起動の順序や起動のタイミングを異ならせることが望まれる。
そこで、本発明の目的は、突入電流を低減できるとともに、複数の電源回路の起動順序や起動タイミングの適切な制御を行うことができるようにした電子機器の電源装置を提供することにある。
【０００６】
【課題を解決するための手段】
上記の課題を解決し本発明の目的を達成するために、各発明は、以下のように構成した。
すなわち、第１の発明は、複数の構成要素からなる電子機器に電力を供給する電源装置であって、前記複数の構成要素に電力をそれぞれ供給する複数の電源回路と、前記複数の電源回路を起動制御するための起動制御データを格納する記憶回路とを備え、前記複数の電源回路は、起動の際に、前記記憶回路に格納される起動制御データに基づいて起動制御されるようになっている。
【０００７】
第２の発明は、第１の発明の電源装置において、前記記憶回路は、さらに前記複数の電源回路を停止制御するための停止制御データを格納するようにし、前記複数の電源回路は、停止の際に、前記記憶回路に格納される停止制御データに基づいて停止制御されるようになっている。
第３の発明は、第１または第２の発明の電源装置において、前記記憶回路は、さらに前記複数の電源回路の各出力電圧を制御するための出力電圧制御データを格納するようにし、前記複数の電源回路は、前記記憶回路に格納される複数の出力電圧制御データに基づいて出力電圧が制御されるようになっている。
【０００８】
第４の発明は、第１、第２、または第３の発明の電源装置において、前記起動制御データは前記複数の電源回路の起動順序または起動タイミングを制御するためのデータからなり、前記停止制御データは前記複数の電源回路の停止順序または停止タイミングを制御するためのデータからなる。
第５の発明は、複数の構成要素からなる電子機器に電力を供給する電源装置であって、前記複数の構成要素に電力をそれぞれ供給する複数の電源回路と、前記複数の電源回路を起動制御するための各数値データをそれぞれ格納する複数の第１ラッチ回路と、所定のクロックを計数するカウンタと、前記複数の第１ラッチ回路に格納される各数値データと前記カウンタの計数値とを比較し、その両者が一致するときに起動信号を出力する複数の一致回路とを備え、前記複数の電源回路は、起動の際に、前記複数の一致回路からの対応する起動信号に基づいて起動制御されるようになっている。
【０００９】
第６の発明は、複数の構成要素からなる電子機器に電力を供給する電源装置であって、前記複数の構成要素に電力をそれぞれ供給する複数の電源回路と、前記複数の電源回路を起動制御および停止制御するための各数値データをそれぞれ格納する複数の第１ラッチ回路と、所定のクロックのアップカウント動作またはダウンカウント動作を行うアップダウンカウンタと、前記アップダウンカウンタをアップカウント動作させたときに、前記複数の第１ラッチ回路に格納される各数値データとそのときの計数値とを比較し、その両者が一致するときに起動信号を出力し、一方、前記アップダウンカウンタをダウンカウント動作させたときに、前記複数の第１ラッチ回路に格納される各数値データとそのときの計数値とを比較し、その両者が一致するときに停止信号を出力する複数のシーケンス信号発生回路とを備え、前記複数の電源回路は、起動の際に、前記複数のシーケンス信号発生回路からの対応する起動信号に基づいて起動制御されるとともに、停止の際に、前記複数のシーケンス信号発生回路からの対応する停止信号に基づいて停止制御されるようになっている。
【００１０】
第７の発明は、第５または第６の発明の電源装置において、前記複数の電源回路の各出力電圧を制御するための出力電圧制御データを格納する複数の第２ラッチ回路をさらに備え、前記複数の電源回路は、前記複数の第２ラッチ回路に格納される各出力電圧制御データに基づいて出力電圧が制御されるようになっている。
【００１１】
このような構成からなる本発明によれば、複数の電源回路の同時起動を避けることができるので、突入電流を低減できる。
また、本発明では、複数の電源回路の起動順序または起動タイミングを制御するためのデータを、電子機器の都合、またはその電子機器の各構成要素（各デバイス）の特性などに応じてあらかじめ設定しておき、その設定に応じて複数の電源回路を起動制御することができる。
【００１２】
【発明の実施の形態】
以下、本発明の実施の形態について説明する。
図１は、本発明の電子機器の電源装置をデジタルスチルカメラに適用した第１実施形態のブロック図である。
この電子機器であるデジタルスチルカメラは、図１に示すように、画像を撮影するＣＣＤセンサ（カメラ部）１と、そのＣＣＤセンサ１で撮影した画像を表示する液晶表示器のような表示部２と、そのＣＣＤセンサ１で撮影した画像のデータを格納する画像メモリ３と、外部との間でデータの授受を行うインタフェース部４と、各部を予め定めた手順で制御する制御部５と、各部に所望の電力を供給する電源装置６とを、少なくとも備えている。電源装置６は、電源スイッチ７を介して電池８に接続されている。
【００１３】
次に、第１実施形態に係る電源装置６の具体的な構成について、図２を参照して説明する。
この第１実施形態に係る電源装置６は、図２に示すように、制御回路５に電力を供給する電源回路３１と、ＣＣＤセンサ１に電力を供給する電源回路３２と、表示部２に電力を供給する電源回路３３と、画像メモリ３に電力を供給する電源回路３４と、インタフェース部４に電力を供給する電源回路３５とを備え、ラッチ回路１２〜１５に格納される電源回路３２〜３５の起動順序またはその起動タイミングを制御するための各起動制御データに基づいて、電源回路３２〜３５が起動制御されるようになっている。
【００１４】
すなわち、電源装置６は、図２に示すように、シフトレジスタ１１と、ラッチ回路１２〜１５と、ゲート回路１６〜１９と、クロック発生回路２０と、カウンタ２１と、一致回路２２〜２５と、電源回路３１〜３５とを備えている。
シフトレジスタ１１は、上記のようにラッチ回路１２〜１５に格納する電源回路３２〜３５の起動制御データと、ラッチ回路１２〜１５に割り当てられているアドレスを示すアドレスデータとからなるデータを、一時的に記憶するレジスタである。シフトレジスタ１１は、上記のデータを入力するデータ入力端子と、クロックを入力するクロック入力端子とを備えている。
【００１５】
ここで、シフトレジスタ１１に格納されるデータは例えば８ビットからなり、その８ビットのうち上位側の３ビットが上記のアドレスデータとして割り当てられ、そのうちの下位側の５ビットが上記の起動データとして割り当てられるものとする。
ゲート回路１６〜１９は、シフトレジスタ１１に格納される８ビットのデータのうち上位側の３ビットのアドレスデータを受け取ると、そのアドレスデータで指定されるラッチ回路１２〜１５に、データの書き込みを許可するストローブ信号を供給する回路である。
【００１６】
ラッチ回路１２〜１５は、各電源回路３２〜３５の起動制御データを格納する記憶回路である。この各ラッチ回路１２〜１５は、シフトレジスタ１１に格納される８ビットのデータのうち上位側の３ビットのアドレスデータに基づいてゲート回路１６〜１９からストローブ信号が供給される場合に、そのシフトレジスタ１１に格納される８ビットのデータのうち下位側の５ビットの起動制御データが格納されるようになっている。
【００１７】
クロック発生回路２０は、制御回路５からのクロック発生信号に基づいて所定周期のクロックパルスを発生する回路である。このクロック発生回路２０で発生されるクロックパルスは、カウンタ２１に供給されるようになっている。
ここで、クロック発生回路２０は、発生するクロックパルスの周期を任意に設定できるようにしても良い。
【００１８】
カウンタ２１は、クロック発生回路２０からのクロックパスルを計数するものであり、その計数値（カウント値）は一致回路２２〜２５にそれぞれ供給されるようになっている。
一致回路２２〜２５は、ラッチ回路１２〜１５に格納される電源回路３２〜３５の各起動制御データ（起動数値データ）とカウンタ２０の計数値とを比較し、その両者が一致したときに、電源回路３２〜３５を起動させる起動信号Ｓ１〜Ｓ４をそれぞれ出力する回路である。その起動信号Ｓ１〜Ｓ４は、対応する電源回路３２〜３４に供給されるようになっている。
【００１９】
電源回路３１は、電源スイッチ７の投入に基づいて起動するようになっている。電源回路３２〜３５は、一致回路２１〜２４からの起動信号Ｓ１〜Ｓ４に基づいて起動を開始し、あらかじめ決められている各出力電圧を出力するようになっている。電源回路３１〜３５は、その負荷の特性に応じてスイッチングレギュレータ、ＤＣ−ＤＣコンバータ、シリーズレギュレータなどからなる。
【００２０】
次に、このような構成からなる第１実施形態の動作について、図１および図２を参照して説明する。
いま、電源スイッチ７が投入（オン）されると、電源回路３１が起動されて図１に示す制御部５が動作状態となり、制御部５は予め定めた手順により以下のような制御処理を行う。
【００２１】
まず、シフトレジスタ１１には、電源回路３２の起動順序とその起動のタイミングを制御するための起動制御データ（起動数値データ）をラッチ回路１２に格納するために、例えば８ビットからなるデータが制御部５から転送されて格納される。
例えば、このシフトレジスタ１１には、データ「０００００００１」が格納される。ここで、その上位側の「０００」はラッチ回路１２のアドレスデータであり、その下位側の「００００１」は電源回路３２の起動数値データである。
【００２２】
このようなデータがシフトレジスタ１１に格納されると、ゲート回路１６は、シフトレジスタ１１に格納される上位側の３ビットのアドレスデータ「０００」で指定されるラッチ回路１２に対し、ストローブ信号を供給する。ラッチ回路１２は、そのストローブ信号が供給されると、シフトレジスタ１１に格納される下位側の５ビットの起動数値データ「００００１」を格納する。
【００２３】
次に、シフトレジスタ１１には、例えばデータ「００１０００１１」が格納され、その上位側の「００１」はラッチ回路１３のアドレスデータであり、その下位側の「０００１１」は電源回路３３の起動数値データである。そして、その起動数値データ「０００１１」が、ラッチ回路１３に格納される。
次に、シフトレジスタ１１には、例えばデータ「０１０００１１１」が格納され、その上位側の「０１０」はラッチ回路１４のアドレスデータであり、下位側の「００１１１」は電源回路３４の起動数値データである。そして、その起動数値データ「００１１１」が、ラッチ回路１４に格納される。
【００２４】
最後に、シフトレジスタ１１には、例えばデータ「０１１０１１１１」が格納され、その上位側の「０１１」はラッチ回路１５のアドレスデータであり、その下位側の「０１１１１」は電源回路３５の起動数値データである。そして、その起動数値データ「００１１１」が、ラッチ回路１５に格納される。
この結果、ラッチ回路１２〜１５には、電源回路３２〜３５の起動数値データとして「００００１」、「０００１１」、「００１１１」、「０１１１１」がそれぞれ格納されることになる。
【００２５】
次に、図１の制御部５からクロック発生回路２０に対してクロック発生信号が供給されると、クロック発生回路２０が所定のクロックパルスを発生し、この発生したクロックパルスがカウンタ２１に供給される。カウンタ２１はそのパルスを計数し、その計数値が一致回路２２〜２５にそれぞれ供給される。
一致回路２２は、カウンタ２１からの計数値「００００１」とラッチ回路１２に格納される起動数値データ「００００１」とが一致すると、起動信号Ｓ１を電源回路３２に供給する。電源回路３２は、その起動信号Ｓ１に基づいて起動を開始し、あらかじめ決められている出力電圧を図１に示すＣＣＤセンサ１に対して供給する。
【００２６】
また、一致回路２３は、カウンタ２１からの計数値「０００１１」とラッチ回路１３に格納される起動数値データ「０００１１」とが一致すると、起動信号Ｓ２を電源回路３３に供給する。電源回路３３は、その起動信号Ｓ２に基づいて起動を開始し、あらかじめ決められている出力電圧を図１に示す表示部２に対して供給する。
【００２７】
さらに、一致回路２４は、カウンタ２１からの計数値「００１１１」とラッチ回路１４に格納される起動数値データ「００１１１」とが一致すると、起動信号Ｓ３を電源回路３４に供給する。電源回路３４は、その起動信号Ｓ３に基づいて起動を開始し、あらかじめ決められている出力電圧を図１に示す画像メモリ３に対して供給する。
【００２８】
また、一致回路２５は、カウンタ２１からの計数値「０１１１１」とラッチ回路１５に格納される起動数値データ「０１１１１」とが一致すると、起動信号Ｓ４を電源回路３５に供給する。電源回路３５は、その起動信号Ｓ４に基づいて起動を開始し、あらかじめ決められている出力電圧を図１に示すインタフェース部４に対して供給する。
【００２９】
以上説明したように、この第１実施形態によれば、複数の電源回路３２〜３５を同時に起動しないので、突入電流を低減できる。
また、第１実施形態によれば、電源回路３２〜３５の起動順序や起動タイミングを制御する起動制御データを、デジタルスチルカメラなどの電子機器の都合、またはその電子機器の各構成要素（各デバイス）の特性などに応じてあらかじめ設定しておき、その設定に応じて電源回路３２〜３５の起動制御ができる。
【００３０】
次に、第２実施形態の構成について説明する。
この第２実施形態は、第１実施形態と同様にデジタルスチルカメラに適用したものであり、図１および図２に示す電源装置６を、図３に示す電源装置に置き換えたものである。
すなわち、この第２実施形態に係る電源装置は、図３に示すように、制御回路５に電力を供給する電源回路３１と、ＣＣＤセンサ１に電力を供給する電源回路３２Ａと、表示部２に電力を供給する電源回路３３Ａと、画像メモリ３に電力を供給する電源回路３４Ａと、インタフェース部４に電力を供給する電源回路３５Ａと、電源回路３２Ａ〜３５Ａの起動順序とその起動タイミングを制御するための各起動制御データ（起動数値データ）を格納するラッチ回路１２〜１５と、電源回路３２Ａ〜３５Ａの出力電圧を制御するための各出力電圧制御データを格納するラッチ回路４２〜４５と、を備えている。
【００３１】
そして、この第２実施形態では、ラッチ回路１２〜１５に格納される各起動制御データに基づいて電源回路３２Ａ〜３５Ａが起動制御されるとともに、ラッチ回路４２〜４５に格納される各出力電圧制御データに基づいて電源回路３２Ａ〜３５Ａの各出力電圧が制御されるようにした。
このために、第２実施形態に係る電源装置は、図３に示すように、シフトレジスタ１１と、ラッチ回路１２〜１５と、ラッチ回路４２〜４５と、ゲート回路１６〜１９と、ゲート回路４６〜４９と、クロック発生回路２０と、カウンタ２１と、一致回路２２〜２５と、電源回路３１と、電源回路３２Ａ〜３５Ａとを備えている。
【００３２】
なお、図３の電源装置は、図２の電源装置と共通部分を有するので、その共通部分の構成要素には同一符号を付してその構成要素の説明は省略する。
ゲート回路４６〜４９は、シフトレジスタ１１に格納される８ビットのデータのうち上位側の３ビットのアドレスデータを受け取ると、そのアドレスデータで指定されるラッチ回路４２〜４５に、データの書き込みを許可するストローブ信号を供給する回路である。
【００３３】
ラッチ回路４２〜４５は、各電源回路３２Ａ〜３５Ａの出力電圧制御データを格納する記憶回路である。この各ラッチ回路４２〜４５は、シフトレジスタ１１に格納される８ビットのデータのうち上位側の３ビットのアドレスデータに基づいてゲート回路４６〜４９からストローブ信号が供給される場合に、そのフトレジスタ１１に格納される８ビットのデータのうち下位側の５ビットの出力電圧制御データが格納されるようになっている。
【００３４】
電源回路３２Ａ〜３５Ａは、一致回路２２〜２５からの起動信号Ｓ１〜Ｓ４に基づいて起動を開始するとともに、ラッチ回路４２〜４５に格納される各出力電圧制御データに基づいてその各出力電圧が制御されるようになっている。
次に、このような構成からなる第２実施形態の動作について、図１および図３を参照して説明する。
【００３５】
いま、電源スイッチ７が投入されると、電源回路３１が起動されて図１に示す制御部５が動作状態となり、制御部５は予め定めた手順により以下のような制御処理を行う。
まず、シフトレジスタ１１には、電源回路３２Ａの起動順序とその起動のタイミングを示す起動数値データをラッチ回路１２に格納するために、例えばデータ「０００００００１」が制御部５から転送されて格納される。
【００３６】
このようなデータがシフトレジスタ１１に格納されると、ゲート回路１６は、シフトレジスタ１１に格納される上位側の３ビットのアドレスデータ「０００」で指定されるラッチ回路１２に対し、ストローブ信号を供給する。ラッチ回路１２は、そのストローブ信号が供給されると、シフトレジスタ１１に格納される下位側の５ビットの起動数値データ「００００１」を格納する。
【００３７】
次に、シフトレジスタ１１には、電源回路３２Ａの出力電圧制御データをラッチ回路４２に格納するために、例えばデータ「００１０００１１」が制御部５から転送されて格納される。ここで、そのデータのうち上位側の「００１」はラッチ回路４２のアドレスデータであり、そのデータの下位側の「０００１１」は電源回路３２Ａの出力電圧制御データである。
【００３８】
このようなデータがシフトレジスタ１１に格納されると、ゲート回路４６は、シフトレジスタ１１に格納される上位側の３ビットのアドレスデータ「００１」で指定されるラッチ回路４２に対し、ストローブ信号を供給する。ラッチ回路４２は、そのストローブ信号が供給されると、シフトレジスタ１１に格納される下位側の５ビットの出力電圧制御データ「０００１１」を格納する。
【００３９】
次に、シフトレジスタ１１には、例えばデータ「０１００００１１」が格納され、その上位側の「０１０」はラッチ回路１３のアドレスデータであり、下位側の「０００１１」は電源回路３３Ａの起動数値データである。そして、その起動数値データ「０００１１」が、ラッチ回路１３に格納される。
次に、シフトレジスタ１１には、例えばデータ「０１１００１１１」が格納され、上位側の「０１１」はラッチ回路４３のアドレスデータであり、下位側の「００１１１」は電源回路３３Ａの出力電圧制御データである。そして、その出力電圧制御データ「００１１１」が、ラッチ回路４３に格納される。
【００４０】
このようにして、ラッチ回路１２〜１５には、電源回路３２Ａ〜３５Ａの起動数値データとして、例えば「００００１」、「０００１１」、「００１１１」、「０１１１１」がそれぞれ格納される。また、ラッチ回路４２〜４５には、電源回路３２Ａ〜３５Ａの出力電圧制御データとして、例えば「０００１１」、「００１１１」、「０００１１」、「００１１１」がそれぞれ格納される。
【００４１】
次に、図１の制御部５からクロック発生回路２０に対してクロック発生信号が供給されると、クロック発生回路２０が所定のクロックパルスを発生し、この発生したクロックパルスがカウンタ２１に供給される。カウンタ２１はそのクロックパルスを計数し、その計数値が一致回路２２〜２５にそれぞれ供給される。
一致回路２２は、カウンタ２１からの計数値「００００１」とラッチ回路１２に格納される起動数値データ「００００１」とが一致すると、起動信号Ｓ１を電源回路３２Ａに供給する。電源回路３２Ａは、その起動信号Ｓ１に基づいて起動を開始するとともに、ラッチ回路４２に格納される出力電圧制御データ「０００１１」に基づいてその出力電圧を制御する。そして、その出力電圧はＣＣＤセンサ１に対して供給される。
【００４２】
また、一致回路２３は、カウンタ２１からの計数値「０００１１」とラッチ回路１３に格納される起動数値データ「０００１１」とが一致すると、起動信号Ｓ２を電源回路３３Ａに供給する。電源回路３３Ａは、その起動信号Ｓ２に基づいて起動を開始するとともに、ラッチ回路４３に格納される出力電圧制御データ「００１１１」に基づいてその出力電圧を制御する。そして、その出力電圧は表示部２に対して供給される。
【００４３】
さらに、一致回路２４は、カウンタ２１からの計数値「００１１１」とラッチ回路１４に格納される起動数値データ「００１１１」とが一致すると、起動信号Ｓ３を電源回路３４Ａに供給する。電源回路３４Ａは、その起動信号Ｓ３に基づいて起動を開始するとともに、ラッチ回路４４に格納される出力電圧制御データ「００１１１」に基づいてその出力電圧を制御する。そして、その出力電圧は画像メモリ３に対して供給される。
【００４４】
また、一致回路２５は、カウンタ２１からの計数値「０１１１１」とラッチ回路１５に格納される起動数値データ「０１１１１」とが一致すると、起動信号Ｓ４を電源回路３５Ａに供給する。電源回路３５Ａは、その起動信号Ｓ４に基づいて起動を開始するとともに、ラッチ回路４５に格納される出力電圧制御データ「００１１１」に基づいてその出力電圧を制御する。そして、その出力電圧はインタフェース部４に対して供給する。
【００４５】
以上説明したように、この第２実施形態によれば、電源回路３２Ａ〜３５Ａの起動順序や起動タイミングを制御するための起動制御データとその出力電圧を制御するための出力電圧制御データとを、デジタルスチルカメラなどの電子機器の都合、またはその電子機器の各構成要素（各デバイス）の特性などに応じてそれぞれ設定しておき、その設定に応じて電源回路３２Ａ〜３５Ａの起動制御や出力電圧ができる。
【００４６】
次に、第３実施形態の構成について説明する。
この第３実施形態は、第１実施形態と同様にデジタルスチルカメラに適用したものであり、図１および図２に示す電源装置６を、図４に示す電源装置に置き換えたものである。
すなわち、この第３実施形態に係る電源装置は、ラッチ回路１２〜１５に電源回路３２Ｂ〜３５Ｂの起動／停止の順序とその起動／停止のタイミングを制御するための各起動／停止制御データを格納するようにし、そのラッチ回路１２〜１５に格納される各起動／停止制御データに基づいて電源回路３２Ｂ〜３５Ｂを起動制御および停止制御させるようにしたものである。
【００４７】
このために、第３実施形態に係る電源装置は、図４に示すように、シフトレジスタ１１と、ラッチ回路１２〜１５と、ゲート回路１６〜１９と、クロック発生回路２０と、アップダウンカウンタ５０と、一致回路２２〜２５と、切換スイッチ５１〜５５と、電源回路３１と、電源回路３２Ｂ〜３５Ｂとを備えている。
なお、図４の電源装置は、図２の電源装置と共通部分を有するので、その共通部分の構成要素には同一符号を付してその構成要素の説明は省略する。
【００４８】
ラッチ回路１２〜１５は、各電源回路３２Ｂ〜３５Ｂの起動／停止制御データ（起動／停止数値データ）を格納する記憶回路である。このラッチ回路１２〜１５は、シフトレジスタ１１に格納される８ビットのデータのうち上位側の３ビットのアドレスデータに基づいてゲート回路１６〜１９からストローブ信号が供給される場合に、そのシフトレジスタ１１に格納される８ビットのデータのうち下位側の５ビットの起動／停止数値データが格納されるようになっている。
【００４９】
アップダウンカウンタ５０は、クロック発生回路２０の発生するクロックパルスのアップカウント動作とダウンカウント動作とを行うことができるカウンタである。
スイッチ５１は、図１に示す制御回路５からのスイッチ切換信号に基づき、クロック発生回路２０からのクロックパルスを、アップダウンカウンタ５０のアップカウント動作の入力端子側とダウンカウンタ動作の入力端子側とに振り分けるものである。
【００５０】
スイッチ５２〜５４は、制御回路５からのスイッチ切換信号に基づき、一致回路２２〜２５から出力される起動信号と停止信号とを選択し、この選択した起動信号と停止信号とを電源回路３２Ｂ〜３５Ｂの起動信号入力端子と停止信号入力端子とに入力するためのものである。
電源回路３２Ｂ〜３５Ｂは、一致回路２２〜２５からの起動信号に基づいて起動を開始するとともに、一致回路２２〜２５からの停止信号に基づいて動作を停止するようになっている。
【００５１】
また、電源回路３２Ｂ〜３５Ｂは、図１に示すＣＣＤセンサ１、表示部２、画像メモリ３、およびインタフェース部４にそれぞれ電力を供給するようになっている。
次に、このような構成からなる第３実施形態の動作について、図１および図４を参照して説明する。
【００５２】
いま、電源スイッチ７が投入されると、電源回路３１が起動されて図１に示す制御部５が動作状態となり、制御部５は予め定めた手順により以下のような制御処理を行う。
まず、シフトレジスタ１１には、電源回路３２Ｂの起動／停止の順序とその起動／停止のタイミングを示す起動／停止数値データを格納するために、例えばデータ「０００００００１」が制御部５から転送されて格納される。
【００５３】
ここで、そのデータのうち上位側の３ビットの「０００」がラッチ回路１２のアドレスを示すアドレスデータ、その下位側の５ビットの「００００１」が起動／停止数値データである。
このようなデータがシフトレジスタ１１に格納されると、ゲート回路１６は、シフトレジスタ１１に格納される上位側の３ビットのアドレスデータ「０００」で指定されるラッチ回路１２に対し、ストローブ信号を供給する。ラッチ回路１２は、そのストローブ信号が供給されると、シフトレジスタ１１に格納される下位側の５ビットの起動／停止数値データ「００００１」を格納する。
【００５４】
次に、シフトレジスタ１１には、例えばデータ「００１０００１１」が格納され、上位側の「００１」はラッチ回路１３のアドレスデータであり、下位側の「０００１１」は電源回路３３Ｂの起動／停止数値データである。そして、その起動／停止数値データ「０００１１」は、ラッチ回路１３に格納される。
次に、シフトレジスタ１１には、例えばデータ「０１０００１１１」が格納され、上位側の「０１０」はラッチ回路１４のアドレスデータであり、下位側の「００１１１」は電源回路３４Ｂの起動／停止数値データである。そして、その起動／停止数値データ「００１１１」が、ラッチ回路１４に格納される。
【００５５】
最後に、シフトレジスタ１１には、例えばデータ「０１１０１１１１」が格納され、上位側の「０１１」はラッチ回路１５のアドレスデータであり、下位側の「０１１１１」は電源回路３５Ｂの起動／停止数値データである。そして、その起動／停止数値データ「００１１１」が、ラッチ回路１５に格納される。
この結果、ラッチ回路１２〜１５には、電源回路３２Ｂ〜３５Ｂの起動／停止数値データとして、例えば「００００１」、「０００１１」、「００１１１」、「０１１１１」がそれぞれ格納されることになる。
【００５６】
次に、電源回路３２Ｂ〜３５Ｂを起動させる場合の各部の動作について説明する。
ここで、この動作のときには、切換スイッチ５１〜５５の各接点は、図示の位置にある。
この場合には、図１の制御部５からのクロック発生回路２０に対してクロック発生信号が供給され、クロック発生回路２０が所定のクロックパルスを発生する。このときには、その発生したクロックパルスはアップダウンカウンタ５０のアップカウント動作側に供給される。この結果、カウンタ５０はそのクロックパルスのアップカウント動作を開始し、その計数値が一致回路２２〜２５にそれぞれ供給される。
【００５７】
一致回路２２は、カウンタ５０からの計数値「００００１」とラッチ回路１２に格納される起動／停止数値データ「００００１」とが一致すると、起動信号を電源回路３２Ｂの起動信号入力端子に供給する。電源回路３２Ｂは、その起動信号に基づいて起動を開始し、あらかじめ決められている出力電圧を図１に示すＣＣＤセンサ１に対して供給する。
【００５８】
次に、一致回路２３は、カウンタ５０からの計数値「０００１１」とラッチ回路１３に格納される起動／停止数値データ「０００１１」とが一致すると、起動信号Ｓ２を電源回路３３Ｂの起動信号入力端子に供給する。電源回路３３Ｂは、その起動信号に基づいて起動を開始し、あらかじめ決められている出力電圧を表示部２に対して供給する。
【００５９】
次に、一致回路２４は、カウンタ５０からの計数値「００１１１」とラッチ回路１４に格納される起動／停止数値データ「００１１１」とが一致すると、起動信号を電源回路３４Ｂの起動信号入力端子に供給する。電源回路３４Ｂは、その起動信号に基づいて起動を開始し、あらかじめ決められている出力電圧を図１に示す画像メモリ３に対して供給する。
【００６０】
最後に、一致回路２５は、カウンタ５０からの計数値「０１１１１」とラッチ回路１５に格納される起動／停止数値データ「０１１１１」とが一致すると、起動信号を電源回路３５Ｂの起動信号入力端子に供給する。電源回路３５Ｂは、その起動信号に基づいて起動を開始し、あらかじめ決められている出力電圧をインタフェース部４に対して供給する。
【００６１】
次に、電源回路３２Ｂ〜３５Ｂの動作を停止させる場合の各部の動作について説明する。
この場合には、図１の制御回路５からのスイッチ切換信号に基づき、切換スイッチ５１〜５５の各接点が図示の位置から反対の位置に切り換えられる。その後、制御部５からのクロック発生回路２０に対してクロック発生信号が供給され、クロック発生回路２０が所定のクロックパルスを発生する。
【００６２】
このとき、切換スイッチ５１の切り換え接点は図示の位置とは反対の位置にあるので、その発生したパルスはアップダウンカウンタ５０のダウンカウント動作側に供給される。この結果、アップダウンカウンタ５０は、そのクロックパルスのダウンカウント動作を開始し、その計数値が一致回路２２〜２５にそれぞれ供給される。
【００６３】
一致回路２５は、カウンタ５０からの計数値「０１１１１」とラッチ回路１５に格納される起動／停止数値データ「０１１１１」とが一致すると、停止信号を電源回路３５Ｂの停止信号入力端子に供給する。電源回路３５Ｂは、その停止信号に基づいて動作を停止するので、その出力電圧のインタフェース部４に対する供給が停止される。
【００６４】
また、一致回路２４は、カウンタ５０からの計数値「００１１１」とラッチ回路１４に格納される起動／停止数値データ「００１１１」とが一致すると、停止信号を電源回路３４Ｂの停止信号入力端子に供給する。電源回路３４Ｂは、その停止信号に基づいて動作を停止するので、その出力電圧の画像メモリ３に対する供給が停止される。
【００６５】
さらに、一致回路２３は、カウンタ５０からの計数値「０００１１」とラッチ回路１３に格納される起動／停止数値データ「０００１１」とが一致すると、停止信号を電源回路３３Ｂの停止信号入力端子に供給する。電源回路３３Ｂは、その停止信号に基づいて動作を停止するので、その出力電圧の表示部２に対する供給が停止される。
【００６６】
また、一致回路２２は、カウンタ５０からの計数値「００００１」とラッチ回路１２に格納される起動／停止数値データ「００００１」とが一致すると、停止信号を電源回路３２Ｂの停止信号入力端子に供給する。電源回路３２Ｂは、その停止信号に基づいて動作を停止するので、その出力電圧のＣＣＤセンサ１に対する供給が停止される。
【００６７】
以上説明したように、この第３実施形態によれば、電源回路３２Ｂ〜３５Ｂの起動順序や起動タイミングとその停止順序や停止タイミングを制御するデータを、デジタルスチルカメラなどの電子機器の都合、またはその電子機器の各構成要素の特性などに応じて予め設定しておき、その設定に応じて電源回路３２Ｂ〜３５Ｂを起動制御および停止制御させることができる。
【００６８】
なお、上記の実施形態では、ラッチ回路１２〜１５などに電源回路３２〜３５の起動制御データなどを電源の投入時に設定し、その設定した起動制御データに基づいて電源回路３２〜３５の起動制御などを行うようにした。
しかし、これに代えて、電源装置の出荷時に、電源回路３２〜３５の起動制御データなどをＲＯＭ等の不揮発性メモリにあらかじめ書き込んでおき、電源投入時に、その起動制御データを読み出して電源回路３２〜３５の起動制御を行うようにしても良い。
【００６９】
【発明の効果】
以上説明したように、本発明によれば、複数の電源回路の同時起動を避けることができるので、突入電流を低減できる。
また、本発明によれば、複数の電源回路の起動順序または起動タイミングを制御するためのデータを、電子機器の都合、またはその電子機器の各構成要素（各デバイス）の特性などに応じてあらかじめ設定しておき、その設定に応じて複数の電源回路を起動制御することができる。
【図面の簡単な説明】
【図１】本発明の第１実施形態をデジタルスチルカメラに適用した場合の構成例を示すブロック図である。
【図２】第１実施形態に係る電源装置の構成を示すブロック図である。
【図３】第２実施形態に係る電源装置の構成を示すブロック図である。
【図４】第３実施形態に係る電源装置の構成を示すブロック図である。
【符号の説明】
１はＣＣＤセンサ、２は表示部、３は画像メモリ、４はインタフェース部、５は制御部、６は電源装置、７は電源スイッチ、１１はシフトレジスタ、１２〜１５はラッチ回路、１６〜１９はゲート回路、２１はカウンタ、２２〜２５は一致回路、３１〜３５は電源回路、５０はアップダウンカウンタである。
【図１】
2004282930.tif 000003
【図２】
2004282930.tif 000004
【図３】
2004282930.tif 000005
【図４】
2004282930.tif 000006